(57)【要約】【課題】管理が容易で且つ衛生面に優れた濾過装置を提供する。【解決手段】この濾過装置８０は、濾材シート２０上に夾雑物が堆積して濾過能力が低下すると自動的に濾材シート２０の使用面の交換を行う。この際、夾雑物は使用後の濾材シート２０’とともに巻き取られ、湯水や濾水とは直接接触しない。これにより、湯水の濾過を極めて衛生的に行うことができる。また、この濾過装置８０は装置規模が小さいため、浴槽５の近くに設置することができる。これにより、濾過装置８０と浴槽５との間の配管距離を短縮でき、これら配管内における細菌類の増殖リスクを低減することができる。またさらに、濾材シート２０がヘアーキャッチャーの機能を有するため、別途ヘアーキャッチャーを設ける必要がない。このため、管理者の清掃作業の負担を軽減することができる。【選択図】図１
2017140564.tif 000002
【特許請求の範囲】
【請求項１】
浴槽の湯水を濾過する濾過装置であって、
ロール状に巻回された濾材シートと、
前記濾材シートを巻き伸ばすとともに使用後の濾材シートを巻き取るシート送り装置と、
底面が開口し、前記開口に巻き伸ばされた前記濾材シートがスライド可能に張られた濾過槽と、
前記浴槽からの湯水を前記濾過槽に吐出する吐水配管と、
前記濾過槽内の湯水の水位を取得する水位取得手段と、
前記濾過槽の下に設けられ濾材シートを通過した濾水を溜める受け槽と、
前記受け槽の濾水を浴槽側に送出するポンプ手段と、を有し、
前記濾過槽内の湯水の水位が所定の上限値よりも高くなった時に前記シート送り装置を動作させて使用前の濾材シートを巻き伸ばすとともに使用後の濾材シートを巻き取り、前記濾過槽の湯水の水位が所定の下限値よりも低くなった時に前記シート送り装置の動作を停止することを特徴とする濾過装置。
【請求項２】
受け槽内の濾水を加熱するヒータ手段をさらに有することを特徴とする請求項１記載の濾過装置。
【請求項３】
殺菌指示により、ヒータ手段が受け槽内の濾水を６０℃以上に加熱して前記受け槽の殺菌を行うことを特徴とする請求項２記載の濾過装置。
【請求項４】
逆送指示により、ポンプ手段が吐水配管に受け槽内の濾水を送出することを特徴とする請求項１乃至請求項３のいずれかに記載の濾過装置。
【発明の詳細な説明】
【技術分野】
【０００１】
本発明は、プールや温浴施設等の浴槽の湯水を濾過する濾過装置に関するものである。
【背景技術】
【０００２】
プールや温浴施設、宿泊施設の大浴場等では浴槽（水槽）に貯留した湯水を濾過して循環し再利用することが多い。そして、このような温浴施設等の濾過装置としては、濾砂を充填した容器に湯水を通水して濾過する砂濾過器が一般的に用いられている。しかしながら、砂濾過器は継続的な使用によって内部に湯水の汚れが堆積し、この汚れが細菌類の温床となる虞がある。特に、近年増加傾向にあるレジオネラ症は、温浴施設等におけるレジオネラ属菌からの感染が１番の原因と考えられる。そして、本願発明者らがレジオネラ属菌の検出された温浴施設の濾過循環系を検査したところ、砂濾過器内の水に浴槽水の数百倍のレジオネラ属菌を検出した。このことから、砂濾過器自体がレジオネラ属菌を含む細菌類の大きな供給源となっていることが考えられる。この問題点に関し、本願発明者らは過去に砂濾過器の逆洗時にエアレーションを行い、生物膜やアメーバ等を除去する下記［特許文献１］に関する発明を行った。
【先行技術文献】
【特許文献】
【０００３】
【特許文献１】特開２００５−１９３２１４号公報
【発明の概要】
【発明が解決しようとする課題】
【０００４】
しかしながら、定期的な逆洗を行ったとしても砂濾過器の洗浄を完全に行うことは難しく、構造的に細菌類が増殖しにくい濾過装置の実現が求められている。また、湯水の循環配管もまた細菌類の温床となるが、砂濾過器を用いた濾過装置は装置規模が大きく、構成上、浴槽から離れた場所に濾過装置を設置する場合が多い。このため、浴槽から濾過装置までの循環配管の距離が長くなり、配管内で細菌類が増殖し易いという問題点がある。さらに、砂濾過器ではヘアーキャッチャーの設置と毎日の清掃が条例等で義務付けられている場合があり、管理者の負担が大きいという問題点がある。
【０００５】
本発明は上記事情に鑑みてなされたものであり、管理が容易で且つ衛生面に優れた濾過装置を提供することを目的とする。
【課題を解決するための手段】
【０００６】
本発明は、
（１）浴槽５の湯水を濾過する濾過装置であって、
ロール状に巻回された濾材シート２０と、前記濾材シート２０を巻き伸ばすとともに使用後の濾材シート２０’を巻き取るシート送り装置３０と、
底面が開口し、前記開口４２に巻き伸ばされた前記濾材シート２０がスライド可能に張られた濾過槽４０と、
前記浴槽５からの湯水を前記濾過槽４０に吐出する吐水配管１０と、前記濾過槽４０内の湯水の水位を取得する水位取得手段４４と、前記濾過槽４０の下に設けられ濾材シート２０を通過した濾水を溜める受け槽５０と、前記受け槽５０の濾水を浴槽５側に送出するポンプ手段１２と、を有し、
前記濾過槽４０内の湯水の水位が所定の上限値よりも高くなった時に前記シート送り装置３０を動作させて使用前の濾材シート２０を巻き伸ばすとともに使用後の濾材シート２０’を巻き取り、前記濾過槽４０の湯水の水位が所定の下限値よりも低くなった時に前記シート送り装置３０の動作を停止することを特徴とする濾過装置８０を提供することにより、上記課題を解決する。
（２）受け槽５０内の濾水を加熱するヒータ手段５４をさらに有することを特徴とする上記（１）記載の濾過装置８０を提供することにより、上記課題を解決する。
（３）殺菌指示により、ヒータ手段５４が受け槽５０内の濾水を６０℃以上に加熱して前記受け槽５０の殺菌を行うことを特徴とする上記（２）記載の濾過装置８０を提供することにより、上記課題を解決する。
（４）逆送指示により、ポンプ手段１２が吐水配管１０に受け槽５０内の濾水を送出することを特徴とする上記（１）乃至（３）のいずれかに記載の濾過装置８０を提供することにより、上記課題を解決する。
【発明の効果】
【０００７】
本発明に係る濾過装置は、濾材シート上に夾雑物が堆積して濾過能力が低下すると自動的に濾材シートの使用面の交換を行う。この際、ゴミ等の夾雑物は使用後の濾材シートとともに巻き取られ、湯水や濾水とは直接接触することがない。これにより、湯水の濾過を極めて衛生的に行うことができる。また、毛髪等も使用後の濾材シートとともに巻き取られ除去されるため、管理者の清掃負担を軽減することができる。
【図面の簡単な説明】
【０００８】
【図１】本発明に係る濾過装置の概略構成図である。
【図２】本発明に係る濾過装置を示す図である。
【図３】本発明に係る濾過装置の稼働時間と濾過槽の水位の関係を示すグラフである。
【図４】稼働時間と濁度及びアンモニア性窒素量の関係を示すグラフである。
【図５】逆送機構を備えた本発明に係る濾過装置の例を示す図である。
【発明を実施するための形態】
【０００９】
本発明に係る濾過装置について図面に基づいて説明する。ここで、図１は本発明に係る濾過装置８０の概略構成図である。本発明に係る濾過装置８０は、プールや各種温浴設備等の浴槽５の湯水を濾過する濾過装置であって、ロール状に巻回された濾材シート２０と、この濾材シート２０を巻き伸ばすとともに使用後の濾材シート２０’を巻き取るシート送り装置３０と、底面が開口し、この開口４２に巻き伸ばされた濾材シート２０がスライド可能に張られた濾過槽４０と、浴槽５からの湯水を濾過槽４０に吐出する吐水配管１０と、濾過槽４０内の湯水の水位を取得する水位取得手段４４と、濾過槽４０の下に設けられ濾材シート２０を通過した湯水（濾水）を溜める受け槽５０と、この受け槽５０の濾水を還流配管１４を通して浴槽５側に送出するポンプ手段１２と、濾過装置８０の各部の動作を制御する制御部６０と、を有している。尚、本発明に係る濾過装置８０では、吐水配管１０と還流配管１４とが循環配管を構成している。
【００１０】
次に、本発明に係る濾過装置８０の各部の構成を更に詳しく説明する。ここで、図２（ａ）は濾過装置８０の内部を示す側面図であり、図２（ｂ）は上面図である。尚、図２においては、制御系に関する記載は省略する。
【００１１】
先ず、濾材シート２０は所定の濾過性能を有する帯状の織布もしくは不織布をロール状に巻回したものである。濾材シート２０を形成する繊維材料に関しては特に限定は無く、ポリエチレン、ポリプロピレン、ポリエステル、ポリエチレンテレフタレート、レーヨン等の化学繊維や、綿、麻、絹等の天然繊維等、如何なるものを用いても良い。また、繊維形態、組織にも特に限定は無く、モノフィラメント、マルチフィラメント、スパン糸、ウェブ糸、平織、綾織、フェルト（不織布）等、如何なるものを用いても良い。また、濾材シート２０の目に関しても特に限定は無いが、通気度で１５００ｃｍ３／ｃｍ２・ｍｉｎ〜５０００ｃｍ３／ｃｍ２・ｍｉｎ程度のものを用いることが特に好ましい。また、シート厚みは５００μｍ〜１５００μｍ程度が好ましく、９００μｍ前後のものが特に好ましい。尚、濾材シート２０は使い捨てとしても良いし、洗浄、殺菌後、再使用しても良い。尚、上記の中でも厚み９００μｍ、通気度２０００ｃｍ３／ｃｍ２・ｍｉｎのポリエステル製の不織布が本願の濾材シート２０として特に好適である。そして、このポリエステル製の不織布を濾材シート２０として用いる場合には基本的に使い捨てとすることが好ましい。
【００１２】
また、濾過装置８０のシート送り装置３０は、使用前の濾材シート２０の軸芯となるシートリール３２ａと、使用後の濾材シート２０’を巻き取る巻取リール３２ｂとを有し、これらシートリール３２ａ、巻取リール３２ｂとが筐体７０に設けられた図示しない軸受に回転可能に挿入される。また、シート送り装置３０は、巻取リール３２ｂを所定のトルクで回転させるモータ及び減速機構からなる回転機構３４を有している。
【００１３】
また、筐体７０は底面に開口７４が形成され、この開口７４を覆うように濾材シート２０が巻き伸ばされる。このとき、筐体７０の開口７４部には濾過槽４０の受け台となり上面が平滑な枠台７６を設置して、この枠台７６上に濾材シート２０を巻き伸ばした後、この上に濾過槽４０を適度な圧力で押圧して固定し、枠台７６の上面と濾過槽４０の底面とで濾材シート２０を挟み込むことが好ましい。尚、濾材シート２０を押圧する濾過槽４０の固定時の適度な圧力とは、シート送り装置３０の動作により濾材シート２０が濾過槽４０と枠台７６との間をスライド可能で且つ濾材シート２０の濾過槽４０側から湯水が漏水しない圧力である。これにより、濾過槽４０の開口４２は巻き伸ばされた濾材シート２０により閉塞される。
【００１４】
また、濾過槽４０には水位取得手段４４が設置され、濾過槽４０内の湯水の水位を制御部６０に出力する。この水位取得手段４４に特に限定は無く、周知の接触式水位計、非接触式水位計を用いることができる。また、濾過槽４０の上方には吐水配管１０の吐出口が位置する。また、吐水配管１０の他端は浴槽５と接続する。このとき、吐水配管１０は浴槽５のオーバーフロー枡７に接続し、浴槽５から溢れた湯水を濾過槽４０側に供給することが好ましい。尚、このオーバーフロー枡７を用いた表層水循環方式は、湯水の表層に浮く汚れや毛髪、ゴミ等を効率的に回収、除去することができる。
【００１５】
また、濾過槽４０の下には、上面に開口部５２を有する受け槽５０が設けられる。そして、濾過槽４０の開口４２、筐体７０の開口７４、受け槽５０の開口部５２は、濾材シート２０を挟んで連通する。また、受け槽５０は、槽内の湯水（濾水）を加熱するヒータ手段５４と、受け槽５０内の濾水の水位を取得して制御部６０に出力する水位計５６とを有している。また、受け槽５０には槽内の濾水を浴槽５に送出する還流配管１４が接続し、この還流配管１４にポンプ手段１２が接続する。
【００１６】
次に、本発明に係る濾過装置８０の動作を図１、図２を用いて説明する。先ず、ポンプ手段１２は基本的に常時稼働し、これにより浴槽５の湯水は常にオーバーフロー枡７に落水する。この際、湯水の表層に浮くゴミ等も一緒にオーバーフロー枡７に排出される。オーバーフロー枡７に排出された湯水及びゴミ等は吐水配管１０を通って濾過槽４０内に吐出する。このときの濾過槽４０内の湯水の水位は水位取得手段４４が取得して制御部６０に出力する。また、濾過槽４０内に吐出された湯水は底面の開口４２に張られた濾材シート２０によって濾過され、ゴミ等の夾雑物は濾材シート２０上に残留し、夾雑物の除かれた湯水（濾水）は受け槽５０の開口部５２を通して、受け槽５０内に落水する。尚、オーバーフロー枡７、吐水配管１０、濾過槽４０による濾過はポンプ等を用いない自然流下によって行うことが好ましい。
【００１７】
そして、湯水の濾過が進行するにつれ、濾材シート２０上には夾雑物が堆積し濾過能力が低下する。これにより、濾過槽４０内の湯水の水位は上昇する。制御部６０はこの水位上昇を水位取得手段４４を介して取得し、濾過槽４０内の湯水の水位が所定の上限値よりも高くなった場合にシート送り装置３０を動作させる。これにより、回転機構３４が駆動して巻取リール３２ｂが回転する。これにより、処理能力が低下した濾材シート２０’は巻き取られ、同時にシートリール３２ａ側の使用前の濾材シート２０が巻き伸ばされて濾過槽４０の開口４２に位置する。これにより、濾材シート２０の濾過能力は回復して、濾過槽４０内の湯水の水位は低下する。そして、濾過槽４０内の湯水の水位が所定の下限値よりも低くなった場合、制御部６０はシート送り装置３０の動作を停止する。
【００１８】
ここで、図３に濾過装置８０の稼働時間（ｈｒ）と濾過槽４０内の湯水の水位（ｍｍ）のグラフを示す。尚、図３では上限値を５０ｍｍとし、下限値を２５ｍｍとしている。図３から、濾過槽４０内の湯水の水位が５０ｍｍになるとシート送り装置３０が動作して濾材シート２０の使用面が交換され、これにより濾過能力が回復して水位が低下することが判る。また、水位が所定の下限値（２５ｍｍ）以下になるとシート送り装置３０は停止し、その後、濾過の進行とともに濾材シート２０の濾過能力は徐々に低下し濾過槽４０内の水位が上昇する。そして、再度、水位が５０ｍｍになるとシート送り装置３０が動作して、濾過能力が回復し水位が低下する。そして、これらのことが繰り返され、濾過槽４０内の湯水の水位は概ね１８ｍｍ〜５０ｍｍに維持される。尚、図３では下限値を２５ｍｍと設定しているが、動作のタイムラグ等から水位は１８ｍｍ前後まで低下している。
【００１９】
次に、濾過装置８０の稼働時間と濾水の濁度の変化を図４（ａ）に示す。また、稼働時間と濾水中のアンモニア性窒素量（ｍｇ／Ｌ）の変化を図４（ｂ）に示す。ここで、図４（ａ）、（ｂ）の黒三角印は濾過前の湯水の濁度及びアンモニア性窒素量を示し、黒丸印が本発明に係る濾過装置８０の濾水の濁度及びアンモニア性窒素量を示し、白丸印が砂濾過器の濾水の濁度及びアンモニア性窒素量を示す。
【００２０】
図４（ａ）から、本発明に係る濾過装置８０の濾水の濁度は濾過前の湯水の濁度よりも低い傾向を示し、また砂濾過のものと同等であった。このことから、本発明に係る濾過装置８０は十分な濾過能力を有することが判る。また、図４（ｂ）から、本発明に係る濾過装置８０の濾水はアンモニア性窒素量が濾過前の湯水及び砂濾過器のものよりも少ない傾向を示した。特に、砂濾過器のものは稼働時間が長くなるに従ってアンモニア性窒素量が増加傾向を示したのに対し、本発明に係る濾過装置８０は稼働時間によらず概ね低濃度で推移した。これは、本発明に係る濾過装置８０は濾材シート２０の使用面が適宜交換されることで、堆積した夾雑物が順次湯水や濾水と直接接触しない位置に巻き取られ、たとえ夾雑物からアンモニア性窒素が生じたとしても濾水への流出が少ないためと考えられる。このことは、アンモニア性窒素のみならず、レジオネラ属菌を含む細菌類自体、及びその他の汚濁物質に対しても同様と考えられる。このように、本発明に係る濾過装置８０は使用する濾材シート２０の面を適宜交換しながら湯水の濾過を行う。このため、濾過後の夾雑物が湯水及び濾水とは直接接触せず、極めて衛生的な濾過を行うことができる。
【００２１】
また、受け槽５０内に落水した濾水は受け槽５０内に一旦貯留されるとともに、ポンプ手段１２によって還流配管１４を流下して浴槽５に還流する。また、受け槽５０内の濾水の水位は水位計５６が取得して制御部６０に出力し、制御部６０は水位計５６の値からポンプ手段１２の動作を制御する。これらの動作により、浴槽５の湯水は濾過され、湯水中のゴミ等は順次除去される。
【００２２】
さらに、本発明に係る濾過装置８０は、次に示す受け槽５０の殺菌機能を有していても良い。先ず、管理者の操作やタイマー設定等によって濾過装置８０に対する殺菌指示が発せられると、制御部６０はポンプ手段１２を停止するとともにヒータ手段５４を動作させて、受け槽５０内の濾水を所定の温度（６０℃以上が好ましい）に加熱する。これにより、受け槽５０内におけるレジオネラ属菌を含む細菌類の加熱殺菌を行う。尚、この加熱殺菌動作は基本的に施設の営業時間外や清掃時等に行うことが好ましい。また、ヒータ手段５４は上記の加熱殺菌の用途に加え、浴槽５の湯水の加温に用いても良い。この構成によれば、濾過装置８０が湯水の加温装置も兼ねるので設備全体の省スペース化を図ることができる。
【００２３】
また、本発明に係る濾過装置８０は吐水配管１０に対する逆送機構を備えていても良い。ここで、逆送機構を備えた濾過装置８０の例を図５に示す。尚、図５に示す逆送機構は一例であるから、特にこの構成に限定されるわけではなく、他の周知の部材を用いて構築しても良い。
【００２４】
図５に示す逆送機構を備えた濾過装置８０は、還流配管１４と吐水配管１０とに三方弁１６ａ、１６ｂを接続する。そして、三方弁１６ａ、１６ｂの残りの接続端間に逆送配管１８を接続する。そして、管理者の操作もしくはタイマー設定等によって逆送指示が発せられると、制御部６０は三方弁１６ａを逆送配管１８側に切り換えるとともに、浴槽５側の吐水配管１０と逆送配管１８とを連通するように三方弁１６ｂを切り換える。そして、ポンプ手段１２を動作させる。これにより、逆送配管１８を通った濾水は吐水配管１０を逆流してオーバーフロー枡７に排出する。そして、この濾水の逆流により吐水配管１０内部の付着物は洗浄される。尚、吐水配管１０を洗浄した濾水は一旦オーバーフロー枡７に排出された後、逆送動作の終了によって吐水配管１０から濾過槽４０内へ排出され、濾材シート２０により濾過される。この構成では、汚れが付着し易い吐水配管１０内の洗浄を容易に行うことが可能となり、吐水配管１０におけるレジオネラ属菌を含む細菌類の増殖を抑制することができる。尚、逆送動作は加熱殺菌時の高温の濾水を用いて行うことが好ましい。
【００２５】
さらに、本発明に係る濾過装置８０は砂濾過器と比較して高さ寸法が低くまた省スペースなため、浴槽５の横に壁等で隔てるなどして設置することができる。このため、従来の砂濾過器と比較して吐水配管１０、還流配管１４の距離を短くすることが可能となり、配管内における細菌類の増殖リスクを低減することができる。
【００２６】
以上のように、本発明に係る濾過装置８０は、濾材シート２０上に夾雑物が堆積して濾過能力が低下すると自動的に濾材シート２０の使用面の交換を行う。この際、ゴミ等の夾雑物は使用後の濾材シート２０’とともに巻き取られ、湯水や濾水とは直接接触することがない。これにより、湯水の濾過を極めて衛生的に行うことができる。
【００２７】
また、本発明に係る濾過装置８０は従来の砂濾過器と比較して装置規模が小さいため、浴槽５の近くに設置することができる。これにより、濾過装置８０と浴槽５との間の配管（吐水配管１０、還流配管１４）の距離を短縮でき、これら配管内における細菌類の増殖リスクを低減することができる。
【００２８】
またさらに、殺菌機能、逆送機構を備えた濾過装置８０は、受け槽５０の加熱殺菌及び吐水配管１０の逆洗が可能なため、これらの部位における細菌類等の増殖を抑制することができる。
【００２９】
またさらに、本発明に係る濾過装置８０は濾材シート２０がヘアーキャッチャーの機能を有するため、別途ヘアーキャッチャーを設ける必要がない。また、濾材シート２０の使用面が自動的に交換され、この際、毛髪等も使用後の濾材シート２０’とともに巻き取られ除去されるため、管理者の清掃作業の負担を軽減することができる。
【００３０】
尚、本例で示した濾過装置８０の各部の構成、機構、形状、寸法、動作、配管経路等は一例であるから、特に本例に限定される訳ではなく、本発明は本発明の要旨を逸脱しない範囲で変更して実施することが可能である。
【符号の説明】
【００３１】
５      浴槽
１０    吐水配管
１２    ポンプ手段
２０    濾材シート
３０    シート送り装置
４０    濾過槽
４２    開口
４４    水位取得手段
５０    受け槽
５４    ヒータ手段
８０    濾過装置
【図１】
2017140564.tif 000003
【図２】
2017140564.tif 000004
【図３】
2017140564.tif 000005
【図４】
2017140564.tif 000006
【図５】
2017140564.tif 000007